(57)【要約】      （修正有）【課題】生卵等を簡単・確実に割ることができる割位置表示体及び割位置表示卵を提供すること。【解決手段】割位置表示体１は、ラベルあるいはシール等による上下に分割した表示本体２に、キャラクター画を描き、口部３ａを割る位置とする表示部３を設けたもので、生卵ＮＴに貼り付けて使用する。生卵ＮＴの側面に割位置表示体１を貼り付け、貼り付けた割位置表示体１が前面にくるように生卵ＮＴを少なくとも３本の指で掴み、続いて卵を割り入れるボールの角部近くに持っていき、口部３ａを角部に叩き付けるべく指でコントロールする。【選択図】図１
2020006112.tif 000002
【特許請求の範囲】
【請求項１】
卵の表面に設けるべく、表示本体に割る位置を表示してなる表示部を設けることを特徴とする割位置表示体。
【請求項２】
前記表示本体が、ラベル・シール・印刷のどれか１つであることを特徴とする割位置表示体。
【請求項３】
前記表示部が、キャラクター画で口部が割る位置であることを特徴とする請求項１又は２記載の割位置表示体。
【請求項４】
前記割位置表示体を表示してなる卵であることを特徴とする割位置表示卵。
【発明の詳細な説明】
【技術分野】
【０００１】  本発明は、主に子供の食育の１つとして、生卵等を簡単・確実に割ることができる割位置表示体及び割位置表示卵に関するものである。
【背景技術】
【０００２】  従来の技術としては、生卵を打ち当てることにより、生卵の卵殻に切れ目を入れて割卵を補助する器具であって、片手に位置決め保持可能な外周輪郭形状寸法を有する器具本体と、この器具本体の割卵表面に設けられた割卵用突起とを備え、前記器具本体は、把持姿勢における掌の把持湾曲面に対応したプロフィールを有する凸湾曲面とされた保持裏面と、生卵の卵殻表面に対応したプロフィールを有する凹湾曲面とされた前記割卵表面とを備えてなり、前記割卵突起は、前記器具本体が片手に位置決め保持された割卵作業姿勢において、生卵を打ち当てた際に、生卵の長手方向中央付近の卵殻表面に手指による割卵を可能にする切れ目を形成する配置方向と断面形状寸法を有する構成とされていることを特徴とする卵わり器がある。（特許文献１参照）【０００３】  また、別の従来技術として、卵ホルダーは、卵を入れた時に安定感があるように、最下部は安定具として、柔らかく且つ、床に平らになる構造にした。又、上部が太く下部が細い構造であり且つ、ジャバラ式にした。その為、不必要の時は畳んで置くことが出来る。生卵殻割り器本体は、金属製の筒状であり殻割り器上部蓋を開けて、中に金属製の玉を入れ、下部の殻割り部は内部を窪ませ、お椀状にした。卵ホルダーの上に卵を縦に載せ、その上に生卵殻割り器本体を載せて、両方の手で押さえながら垂直に上下に数回振ると卵の殻は円形状に割れることを特徴とするものがある。（特許文献２参照）
【先行技術文献】
【特許文献】
【０００４】
【特許文献１】特開２０１５−７９号公報
【特許文献２】特開２０１７−７７２１１号公報
【発明の概要】
【発明が解決しようとする課題】
【０００５】  前記前者は、片手で生卵を割ることができるものであるが、子供に分かり易く、かつ学習させることを目的とするものではない。【０００６】  また、前記後者は、生卵の黄身を取り出すもので、これもまた、子供に分かり易く、かつ学習させることを目的とするものではない。【０００７】  本発明は、このような従来の構成が有していた問題を解決しようとするものであり、割る位置を表示してなる割位置表示体を主に生卵に貼り付け（印刷）することにより割る位置をボールやテーブルの角に当てて生卵を上手に割ることを学習させる割位置表示体を提供することを目的とする。
【課題を解決するための手段】
【０００８】  本発明は、上記目的を達成するために、卵の表面に設けるべく、表示本体に割る位置を表示してなる表示部を設けること。前記表示本体が、ラベル・シール・印刷のどれか１つであること。前記表示部が、キャラクター画で口部が割る位置であることを特徴とする割位置表示体。
前記割位置表示体を表示してなる卵であることを特徴とする割位置表示卵。
【発明の効果】
【０００９】１）、生卵の表面に割位置表示体を設けることにより、主に子供に対して割る位置が分か    り、楽しく、遊びながら上手に割ることができ、食育としても有効である。
２）、割位置表示体には色々なキャラクター画があり、特に口の位置が割る位置であり、    楽しく生卵を割ることができる。
３）、割位置表示体がラベル・シール・印刷等、必要に応じて決められるため選択肢が増    える。
４）、割位置表示体を後付にて生卵に設けてもよく、鶏卵メーカーにて設けたものを市場    で販売してもよく、必要に応じて対応できる。
５）、生卵のみならず、ゆで卵にも使用できるものである。
【図面の簡単な説明】
【００１０】
【図１】  本発明の第１実施例を示す割位置表示体の正面図。
【図２】  本発明の第２実施例を示す割位置表示卵の正面図。
【図３】  本発明の第１実施例を示す割位置表示体の生卵への貼付状態図。
【図４】  本発明の第１実施例を示す割位置表示体の生卵を割って入れるボール。
【図５】  本発明の第１実施例を示す割位置表示体の生卵を割った状態図。
【図６】  本発明の第１実施例を示す割位置表示体の生卵を両手で割って中身を落下させた状態図。
【発明を実施するための形態】
【００１１】  第１実施例の割位置表示体について説明する。
割位置表示体１は、ラベルあるいはシール等による上下に分割した表示本体２に、ワニの顔のキャラクター画を描き、口部３ａを割る位置とする表示部３を設けたもので、生卵ＮＴに貼り付けて使用するものである。（図１）
【００１２】  第２実施例の割位置表示卵について説明する。
割位置表示卵２１は、生卵ＮＴ１に直接ニワトリの顔のキャラクター画を描き、口部２３ａを割る位置とする表示部２３を印刷してなるものである。
なお、割位置表示体１を貼り付けてもよい。（図２）
【００１３】  つぎに、第１実施例の割位置表示体１（第２実施例の割位置表示卵２１も同様）の使用例について説明する。
１、まず、生卵ＮＴの側面に割位置表示体１を貼り付ける。
２、つぎに、貼り付けた割位置表示体１が前面にくるように生卵ＮＴを少なくとも３本    の指Ｙで掴む。
３、つづいて、ボールＢＲの角部Ｋの近くに持っていく。
４、この状態で、口部３ａを角部Ｋに叩き付けるべく指Ｙでコントロールする。
５、この時、指Ｙに力を入れすぎると生卵ＮＴが側面より割れてしまうことがあり、軽    く握ることを子供に教える。
６、１回で割るのではなく、数回叩き付けて割ることを教える。
７、最後に、口部３ａが半分位割れた時点で、両手Ｔで左右に生卵ＮＴを開くことによ    り、中身（黄身と白身）ＮをボールＢＲ内に入れる（落下）ことができる。
上記のような手順で、生卵ＮＴを上手に割ることを教えることができる。（図３〜図６）
【００１４】  なお、第２実施例の割位置表示卵２１も同様な手順で生卵ＮＴを割ることができるものである。
また、割位置表示体の材質や大きさ等は、必要に応じて決めればよい。
さらに、キャラクター画も特に限定することなく、口が開いた状態のものであればよい。
さらにまた、生卵のみならず、ゆで卵等にも使用できるもので、楽しみながら卵を割ることを学習できる。
【符号の説明】
【００１５】１―――割位置表示体
２―――表示本体
３ａ――口部
３―――表示部
ＮＴ――生卵
【図１】
2020006112.tif 000003
【図２】
2020006112.tif 000004
【図３】
2020006112.tif 000005
【図４】
2020006112.tif 000006
【図５】
2020006112.tif 000007
【図６】
2020006112.tif 000008